【手続補正書】
【提出日】平成22年11月11日(2010.11.11)
【手続補正１】
【補正対象書類名】明細書
【補正対象項目名】０００８
【補正方法】変更
【補正の内容】
【０００８】
本発明は、ＥＬ素子を有する画素がマトリックス状に配置された表示画面を有するＥＬ表示装置において、映像信号電圧を出力するソースドライバ回路と、前記表示画面の中の画素を選択するゲートドライバ回路を有し、前記画素には、前記映像信号電圧を保持する第１のコンデンサと、前記ＥＬ素子に電流を供給する駆動トランジスタと、前記ソースドライバ回路が出力する映像信号電圧を前記第１のコンデンサに印加する第１のスイッチトランジスタが形成され、第１の期間に、前記第１のスイッチトランジスタがオンして、前記第１のコンデンサに前記映像信号電圧を書込み、前記第１の期間後の第２の期間に、前記第１のスイッチトランジスタがオフし、前記第１のコンデンサに保持された前記映像信号電圧により、オフセットキャンセル動作を行うことを特徴とするＥＬ表示装置である。
【手続補正２】
【補正対象書類名】明細書
【補正対象項目名】０００９
【補正方法】変更
【補正の内容】
【０００９】
また、本発明は、ＥＬ素子を有する画素がマトリックス状に配置された表示画面を有するＥＬ表示装置において、映像信号電圧を出力するソースドライバ回路と、前記表示画面の中の画素を選択するゲートドライバ回路を有し、前記画素には、前記映像信号電圧を保持する第１のコンデンサと、前記ＥＬ素子に電流を供給する駆動トランジスタと、オフセットキャンセルを行なった前記駆動用トランジスタのゲート端子電位を保持する第２のコンデンサと、前記ソースドライバ回路が出力する映像信号電圧を前記第１のコンデンサに印加する第１のスイッチトランジスタと、第１の電圧を前記駆動用トランジスタのゲート端子以外の端子に印加する第２のスイッチトランジスタが形成され、第１の期間に、前記第１のスイッチトランジスタがオンして、前記第１のコンデンサに前記映像信号電圧を書込み、前記第１の期間に、前記第２のスイッチトランジスタは、オフ状態であり、前記第１の期間後の第２の期間に、前記第１のスイッチトランジスタがオフし、前記第１のコンデンサに保持された前記映像信号電圧により、前記駆動用トランジスタのオフセットキャンセル動作を行い、前記オフセットキャンセル動作による電圧を前記第２のコンデンサに保持し、前記第２の期間に、前記第２のスイッチトランジスタは、オフ状態であり、前記第２の期間後の第３の期間に、前記第２のスイッチトランジスタは、オン状態となり、前記駆動用トランジスタが前記ＥＬ素子に電流を供給することを特徴とするＥＬ表示装置である。
【手続補正３】
【補正対象書類名】特許請求の範囲
【補正対象項目名】全文
【補正方法】変更
【補正の内容】
【特許請求の範囲】
【請求項１】
ＥＬ素子を有する画素がマトリックス状に配置された表示画面を有するＥＬ表示装置において、
映像信号電圧を出力するソースドライバ回路と、
前記表示画面の中の画素を選択するゲートドライバ回路を有し、
前記画素には、前記映像信号電圧を保持する第１のコンデンサと、前記ＥＬ素子に電流を供給する駆動トランジスタと、前記ソースドライバ回路が出力する映像信号電圧を前記第１のコンデンサに印加する第１のスイッチトランジスタが形成され、
第１の期間に、前記第１のスイッチトランジスタがオンして、前記第１のコンデンサに前記映像信号電圧を書込み、
前記第１の期間後の第２の期間に、前記第１のスイッチトランジスタがオフし、前記第１のコンデンサに保持された前記映像信号電圧により、オフセットキャンセル動作を行う
ことを特徴とするＥＬ表示装置。
【請求項２】
ＥＬ素子を有する画素がマトリックス状に配置された表示画面を有するＥＬ表示装置において、
映像信号電圧を出力するソースドライバ回路と、
前記表示画面の中の画素を選択するゲートドライバ回路を有し、
前記画素には、前記映像信号電圧を保持する第１のコンデンサと、前記ＥＬ素子に電流を供給する駆動トランジスタと、オフセットキャンセルを行なった前記駆動用トランジスタのゲート端子電位を保持する第２のコンデンサと、前記ソースドライバ回路が出力する映像信号電圧を前記第１のコンデンサに印加する第１のスイッチトランジスタと、第１の電圧を前記駆動用トランジスタのゲート端子以外の端子に印加する第２のスイッチトランジスタが形成され、
第１の期間に、前記第１のスイッチトランジスタがオンして、前記第１のコンデンサに前記映像信号電圧を書込み、
前記第１の期間に、前記第２のスイッチトランジスタは、オフ状態であり、
前記第１の期間後の第２の期間に、前記第１のスイッチトランジスタがオフし、前記第１のコンデンサに保持された前記映像信号電圧により、前記駆動用トランジスタのオフセットキャンセル動作を行い、前記オフセットキャンセル動作による電圧を前記第２のコンデンサに保持し、
前記第２の期間に、前記第２のスイッチトランジスタは、オフ状態であり、
前記第２の期間後の第３の期間に、前記第２のスイッチトランジスタは、オン状態となり、前記駆動用トランジスタが前記ＥＬ素子に電流を供給する
ことを特徴とするＥＬ表示装置。
【請求項３】
リセット電圧を印加する第３のスイッチトランジスタが形成され、
前記第３のスイッチトランジスタはマルチゲート構造である
ことを特徴とする請求項１又は２に記載のＥＬ表示装置。
【請求項４】
前記ＥＬ素子に流れる電流経路に、第４のスイッチトランジスタが形成され、
前記第４のスイッチトランジスタをオン／オフ制御することにより、前記表示画面に帯状の非表示領域を発生させ、
前記非表示領域を、１フレーム周期で前記表示画面を移動させる
ことを特徴とする請求項１又は２に記載のＥＬ表示装置。
【請求項５】
リセット電圧を印加する第３のスイッチトランジスタが形成され、
前記駆動用トランジスタのゲート端子と、前記駆動用トランジスタの前記ゲート端子以外の１端子間を短絡する第４のスイッチトランジスタが形成され、
任意の画素行の画素の前記第３のスイッチトランジスタのゲート端子と、前記任意の画素行よりも前の画素行の画素の前記第４のスイッチトランジスタのゲート端子とが、同一のゲート信号線に接続されている
ことを特徴とする請求項１又は２に記載のＥＬ表示装置。
【請求項６】
前記ゲートドライバ回路、又は、前記ゲートドライバ回路の入力段にレベルシフト回路が形成され、
前記ソースドライバ回路から出力された信号が、前記レベルシフト回路でレベルシフトして、前記ゲートドライバ回路に入力される
ことを特徴とする請求項１又は２に記載のＥＬ表示装置。
【請求項７】
前記ゲートドライバ回路は、Ｐチャンネルトランジスタで構成されている
ことを特徴とする請求項１又は２に記載のＥＬ表示装置。
【請求項８】
前記ソースドライバ回路は、半導体ＩＣであり、
前記ソースドライ回路は、前記表示画面が形成された基板に実装され、
前記ソースドライバ回路と前記基板の間に遮光膜が形成されている
ことを特徴とする請求項１又は２に記載のＥＬ表示装置。
【請求項９】
温度センサと、前記ＥＬ素子に印加する電圧を発生する電圧発生回路とを更に有し、
前記温度センサの出力に基づいて前記電圧発生回路が前記電圧を可変する
ことを特徴とする請求項１又は２に記載のＥＬ表示装置。
【請求項１０】
前記ソースドライバ回路は、ソース信号線を選択する選択スイッチ回路が複数内蔵されている
ことを特徴とする請求項１又は２に記載のＥＬ表示装置。
【請求項１１】
外光の明るさを検出するホトセンサを更に有し、
前記ホトセンサの出力に基づいて、前記表示画面の明るさを可変する
ことを特徴とする請求項１又は２に記載のＥＬ表示装置。
【請求項１２】
前記画素が複数の色から構成され、前記画素の画素電極の面積が、色によって異なる
ことを特徴とする請求項１又は２に記載のＥＬ表示装置。